【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
２つの異なる波長の入射光を用いてサンプルを照射し、前記波長のうちの第一の波長に対応する、サンプルの２次元画像を得、および、前記波長のうちの第二の波長に対応する、サンプルの２次元画像を得る工程、
代表的な赤血球細胞のセットを同定するために画像を分析する工程、
前記セットの中の赤血球細胞のそれぞれの面積を決定する工程、
前記セットの中の赤血球細胞のそれぞれの明度を決定する工程、および
前記セットの中の一つ一つの赤血球細胞において、赤血球細胞の面積が面積カットオフ値を超えており、かつ、赤血球細胞の明度が明度カットオフ値よりも小さい場合に、赤血球細胞を網赤血球と同定する工程
を含む、基板上に配置された血液サンプル中の網赤血球を同定するための方法であって、
前記一つ一つの赤血球細胞の明度が、前記２つの照射波長における赤血球細胞の光学濃度値のあいだの差異を含んでいる方法。
【請求項２】
前記波長の一つが、４００ｎｍ〜４７５ｎｍのあいだであり、および、他の波長が、５７５ｎｍ〜６００ｎｍのあいだである請求項１記載の方法。
【請求項３】
前記同定された赤血球細胞のそれぞれの明度を決定する工程が、一つ一つの赤血球細胞において、
細胞に関連付けられるピクセルのセットを決定する工程、
前記ピクセルのセットのうちの一つ一つにおいて第一の波長に対応する光学濃度を決定する工程、
前記ピクセルのセットのうちの一つ一つにおいて第二の波長に対応する光学濃度を決定する工程、
前記ピクセルのセットにおいて第一の波長に対応する平均光学濃度を決定する工程、
前記ピクセルのセットにおいて第二の波長に対応する平均光学濃度を決定する工程、および
細胞の明度を決定するために、前記平均光学濃度のあいだの差異を計算する工程
を含む請求項１記載の方法。
【請求項４】
前記セットの中の赤血球細胞のそれぞれの面積を決定する工程が、一つ一つの赤血球細胞において、
細胞に関連付けられるピクセルのセットを決定する工程、および
前記セットの中のピクセルの数をカウントすることによって細胞の面積を決定する工程
を含む請求項１記載の方法。
【請求項５】
前記セットの中のそれぞれの赤血球細胞の面積を決定する工程が、一つ一つの赤血球細胞において、
細胞に関連付けられるピクセルのセットを決定する工程、
前記ピクセルのセットの周囲を取り囲む多角形を決定する工程、および
前記多角形の面積を計算することによって細胞の面積を決定する工程
を含む請求項１記載の方法。
【請求項６】
前記明度カットオフ値が、赤血球細胞の明度の分布のパーセンタイルに基づいている請求項１記載の方法。
【請求項７】
前記パーセンタイルが、赤血球細胞の明度の分布内の７０パーセンタイルに対応する請求項６記載の方法。
【請求項８】
前記明度カットオフ値が、パーセンタイルと明度オフセット値との和に対応する請求項６記載の方法。
【請求項９】
網赤血球の数が既知である訓練データのセットを基準として、前記パーセンタイルおよび前記明度オフセット値を決定する工程をさらに含む請求項８記載の方法。
【請求項１０】
前記面積カットオフ値が、赤血球細胞の面積の分布のパーセンタイルに基づいている請求項１記載の方法。
【請求項１１】
前記パーセンタイルが、赤血球細胞の面積の分布の２０パーセンタイルに対応する請求項１０記載の方法。
【請求項１２】
前記面積カットオフ値が、パーセンタイルおよび面積オフセット値の和に対応する請求項１０記載の方法。
【請求項１３】
網赤血球の数が既知である訓練データのセットを基準として、前記パーセンタイルおよび前記面積オフセット値を決定する工程をさらに含む請求項１２記載の方法。
【請求項１４】
前記２つの波長のうちの１つの波長における、赤血球細胞に関連付けられるピクセルの光学濃度の標準偏差が、カットオフ値よりも大きい場合に、前記代表的なセットから赤血球細胞を除外する工程をさらに含む請求項１記載の方法。
【請求項１５】
前記２つの波長とは異なる波長における、赤血球細胞に関連付けられるピクセルの光学濃度の標準偏差が、カットオフ値よりも大きい場合に、前記代表的なセットから赤血球細胞を除外する工程をさらに含む請求項１記載の方法。
【請求項１６】
網赤血球と同定された赤血球細胞のそれぞれにおいて、網赤血球の容積を決定する工程をさらに含む請求項１記載の方法。
【請求項１７】
複数の照射波長に対応する網赤血球の積分光学濃度に基づき、網赤血球の容積を決定する工程をさらに含む請求項１６記載の方法。
【請求項１８】
サンプルの平均網赤血球容積パラメータを決定する工程をさらに含む請求項１７記載の方法。
【請求項１９】
網赤血球と同定された赤血球細胞のそれぞれにおいて、網赤血球のヘモグロビン含有量を決定する工程をさらに含む請求項１記載の方法。
【請求項２０】
網赤血球の面積、複数の照射波長に対応する網赤血球の容積、および、複数の照射波長に対応する網赤血球の積分光学濃度の重み付け組合せに基づき、網赤血球のヘモグロビン含有量を決定する工程をさらに含む請求項１９記載の方法。
【請求項２１】
サンプルの平均網赤血球ヘモグロビン値を決定する工程をさらに含む請求項１９記載の方法。
【請求項２２】
２つの異なる波長の入射光を用いてサンプルを照射するように構成されている光源、
前記波長のうちの第一の波長に対応するサンプルの２次元画像を得るように、および、前記波長のうちの第二の波長に対応するサンプルの２次元画像を得るように構成されている検出器、ならびに
代表的な赤血球細胞のセットを同定するために画像を分析する、
前記セットの中のそれぞれの赤血球細胞の面積を決定する、
前記セットの中のそれぞれの赤血球細胞の明度を決定する、および
前記セットの中の一つ一つの赤血球細胞において、赤血球細胞の面積が面積カットオフ値を超えており、かつ、赤血球細胞の明度が明度カットオフ値よりも小さい場合に、赤血球細胞を網赤血球と同定する
ように構成されている電子プロセッサであって、一つ一つの赤血球細胞の明度を、２つの照射波長における赤血球細胞の光学濃度値のあいだの差異に基づいて決定するように構成されている電子プロセッサを備える、基板上に配置された血液サンプル中の網赤血球を同定するためのシステム。
【請求項２３】
前記第一の波長が、４００ｎｍ〜４７５ｎｍのあいだであり、および、前記第二の波長が、５７５ｎｍ〜６００ｎｍのあいだである請求項２２記載のシステム。
【請求項２４】
前記セットの中の赤血球細胞の一つ一つにおいて、前記電子プロセッサが、
細胞に関連付けられるピクセルのセットを決定すること、
前記ピクセルのセットのうちの一つ一つにおいて第一の波長に対応する光学濃度を決定すること、
前記ピクセルのセットのうちの一つ一つにおいて第二の波長に対応する光学濃度を決定すること、
前記ピクセルのセットにおいて第一の波長に対応する平均光学濃度を決定すること、
前記ピクセルのセットにおいて第二の波長に対応する平均光学濃度を決定すること、および
細胞の明度を決定するために、平均光学濃度のあいだの差異を計算すること
によって細胞の明度を決定するように構成される請求項２２記載のシステム。
【請求項２５】
前記セットの中の赤血球細胞の一つ一つにおいて、前記電子プロセッサが、
細胞に関連付けられるピクセルのセットを決定すること、および
前記セットの中のピクセルの数をカウントすることによって細胞の面積を決定すること
によって細胞の面積を決定するように構成される請求項２２記載のシステム。
【請求項２６】
前記赤血球細胞の一つ一つにおいて、前記電子プロセッサが、
細胞に関連付けられるピクセルのセットを決定すること、
前記ピクセルのセットの周囲を取り囲む多角形を決定すること、および
前記多角形の面積を計算することによって細胞の面積を決定すること
によって細胞の面積を決定するように構成される請求項２２記載のシステム。
【請求項２７】
前記電子プロセッサが、赤血球細胞の明度の分布のパーセンタイルに基づき明度カットオフ値を決定するように構成される請求項２２記載のシステム。
【請求項２８】
前記パーセンタイルが、赤血球細胞の明度の分布内の７０パーセンタイルに対応する請求項２７記載のシステム。
【請求項２９】
前記電子プロセッサが、パーセンタイルおよび明度オフセット値の和として明度カットオフ値を決定するように構成される請求項２７記載のシステム。
【請求項３０】
前記電子プロセッサが、網赤血球の数が既知である訓練データのセットを基準としてパーセンタイルおよび明度オフセット値を決定するように構成される請求項２９記載のシステム。
【請求項３１】
前記電子プロセッサが、赤血球細胞の面積の分布のパーセンタイルに基づき面積カットオフ値を決定するように構成される請求項２２記載のシステム。
【請求項３２】
前記パーセンタイルが、赤血球細胞の面積の分布の２０パーセンタイルに対応する請求項３１記載のシステム。
【請求項３３】
前記電子プロセッサが、パーセンタイルおよび面積オフセット値の和として面積カットオフ値を決定するように構成される請求項３１記載のシステム。
【請求項３４】
前記電子プロセッサが、網赤血球の数が既知である訓練データのセットを基準としてパーセンタイルおよび面積オフセット値を決定するように構成される請求項３３記載のシステム。
【請求項３５】
前記電子プロセッサが、前記２つの波長のうちの１つの波長における赤血球細胞に関連付けられるピクセルの光学濃度の標準偏差がカットオフ値よりも大きい場合に、代表的なセットから赤血球を除外するように構成される請求項２２記載のシステム。
【請求項３６】
前記電子プロセッサが、前記２つの波長とは異なる波長における赤血球細胞に関連付けられるピクセルの光学濃度の標準偏差がカットオフ値よりも大きい場合に、代表的なセットから赤血球細胞を除外するように構成される請求項２２記載のシステム。
【請求項３７】
網赤血球と同定された赤血球細胞のそれぞれにおいて、前記電子プロセッサが、網赤血球の容積を決定するように構成される請求項２２記載のシステム。
【請求項３８】
前記電子プロセッサが、複数の照射波長に対応する網赤血球の積分光学濃度に基づき、網赤血球の容積を決定するように構成される請求項３７記載のシステム。
【請求項３９】
前記電子プロセッサが、サンプルの平均網赤血球容積パラメータを決定するように構成される請求項３８記載のシステム。
【請求項４０】
網赤血球と同定された赤血球細胞のそれぞれにおいて、前記電子プロセッサが、網赤血球のヘモグロビン含有量を決定するように構成される請求項２２記載のシステム。
【請求項４１】
前記電子プロセッサが、網赤血球の面積と、複数の照射波長に対応する網赤血球の容積と、複数の照射波長に対応する網赤血球の積分光学濃度との重み付け組合せに基づき、網赤血球のヘモグロビン含有量を決定するように構成される請求項４０記載のシステム。
【請求項４２】
前記電子プロセッサが、サンプルの平均網赤血球ヘモグロビン値を決定するように構成される請求項４０記載のシステム。